(57)【特許請求の範囲】
【請求項１】
複数の走査線に複数の走査信号を伝達する走査駆動部；
複数のデータ線に複数のデータ信号を伝達するデータ駆動部；
前記複数の走査線のうちで対応する走査線および前記複数のデータ線のうちで対応するデータ線にそれぞれ連結した画素を複数含み、前記複数の画素それぞれは対応する走査信号が伝達されるとき、対応するデータ信号の伝達を受ける表示部；および
前記走査駆動部および前記データ駆動部を制御し、１フレームの時間を第１視点映像表示期間、第２視点映像表示期間、およびブラック映像表示期間に区分し、前記第１視点映像表示期間、第２視点映像表示期間、およびブラック映像表示期間それぞれに対応する映像データ信号を生成して前記データ駆動部に供給するタイミング制御部；を含み、
前記ブラック映像表示期間は前記第１視点映像表示期間および前記第２視点映像表示期間よりも短い期間であり、前記ブラック映像表示期間に対応する映像データ信号は前記複数の画素を発光させないブラック映像データ信号であり、
前記ブラック映像表示期間は少なくとも複数の左目フレームまたは複数の右目フレームのうちで最も長く発光するサブフレームに該当する期間を含むように設定され、前記最も長く発光するサブフレームは少なくとも二つのサブフレームに分割されている
ことを特徴とする表示装置。
【請求項２】
前記第１視点映像表示期間に対応する映像データ信号と前記第２視点映像表示期間に対応する映像データ信号はそれぞれ、左目映像データ信号と右目映像データ信号である
ことを特徴とする請求項１に記載の表示装置。
【請求項３】
前記データ駆動部は、前記第１視点映像表示期間に対応する第１視点映像データ信号の伝達を受けて複数の第１視点データ信号を生成し、前記第２視点映像表示期間に対応する第２視点映像データ信号の伝達を受けて複数の第２視点データ信号を生成し、前記ブラック映像表示期間に対応するブラック映像データ信号の伝達を受けて複数のブラックデータ信号を生成する
ことを特徴とする請求項１に記載の表示装置。
【請求項４】
前記第１視点映像表示期間は複数の第１サブフレームを含み、
前記走査駆動部は、前記複数の第１サブフレームそれぞれに対応する走査信号を対応する走査線に伝達し、
前記データ駆動部は、前記対応する走査信号が前記対応する走査線に伝達される時点に前記複数の第１視点データ信号を前記複数のデータ線に供給する
ことを特徴とする請求項３に記載の表示装置。
【請求項５】
前記第２視点映像表示期間は複数の第２サブフレームを含み、
前記走査駆動部は、前記複数の第２サブフレームそれぞれに対応する走査信号を対応する走査線に伝達し、
前記データ駆動部は、前記対応する走査信号が前記対応する走査線に伝達される時点に前記複数の第２視点データ信号を前記複数のデータ線に供給する
ことを特徴とする請求項３に記載の表示装置。
【請求項６】
前記ブラック映像表示期間は複数のブラックサブフレームを含み、
前記走査駆動部は、前記複数のブラックサブフレームそれぞれに対応する走査信号を対応する走査線に伝達し、
前記データ駆動部は、前記対応する走査信号が前記対応する走査線に伝達される時点に前記複数のブラックデータ信号を前記複数のデータ線に供給する
ことを特徴とする請求項３に記載の表示装置。
【請求項７】
１フレームの時間は複数のサブフレームに分割され、
前記第１視点映像表示期間に対応する第１視点映像データ信号は前記複数のサブフレームのうちの少なくとも２つの第１サブフレーム期間に供給され、前記第２視点映像表示期間に対応する第２視点映像データ信号は前記複数のサブフレームのうちの少なくとも２つの第２サブフレーム期間に供給され、
前記少なくとも２つの第１サブフレームそれぞれに対応する少なくとも２つの走査信号が伝達される順序は、前記少なくとも２つの第２サブフレームそれぞれに対応する少なくとも２つの走査信号が伝達される順序と同じである
ことを特徴とする請求項１に記載の表示装置。
【請求項８】
前記少なくとも２つの第１サブフレームおよび前記少なくとも２つの第２サブフレームそれぞれは、データ駆動部が複数のデータ線のうちで対応するデータ線に画素を発光させないブラックデータ信号を供給する少なくとも１つのブランク（Ｂｌａｎｋ）サブフレームを含む
ことを特徴とする請求項７に記載の表示装置。
【請求項９】
前記複数のサブフレームのうちの少なくとも２つのブラックサブフレーム期間にブラック映像表示期間に対応するブラック映像データ信号が供給され、
前記ブラックサブフレームそれぞれに対応する少なくとも２つの走査信号が伝達される順序は、前記少なくとも２つの第１サブフレームまたは前記少なくとも２つの第２サブフレームそれぞれに対応する少なくとも２つの走査信号が伝達される順序と同じである
ことを特徴とする請求項７に記載の表示装置。
【請求項１０】
前記ブラック映像表示期間は、前記少なくとも２つの第１サブフレーム期間または前記少なくとも２つの第２サブフレーム期間のうちで最も長いサブフレーム期間よりも長い
ことを特徴とする請求項９に記載の表示装置。
【請求項１１】
前記少なくとも２つのブラックサブフレームそれぞれに対応する少なくとも２つの走査信号が伝達される順序は、
前記少なくとも２つの第１サブフレーム期間または前記少なくとも２つの第２サブフレーム期間のうちで最初の時点から前記少なくとも２つのブラックサブフレーム期間に対応する時点まで含まれる複数のサブフレームそれぞれに対応する少なくとも２つの走査信号が伝達される順序と同じである
ことを特徴とする請求項９に記載の表示装置。
【請求項１２】
前記１フレーム期間は第１視点映像表示期間、第２視点映像表示期間、およびブラック映像表示期間にそれぞれ区分され、前記ブラック映像表示期間は前記第１視点映像表示期間および前記第２視点映像表示期間がそれぞれ終了する時点にそれぞれ開始する
ことを特徴とする請求項１に記載の表示装置。
【請求項１３】
複数の画素を含み、１フレーム時間を第１視点映像表示期間、第２視点映像表示期間、およびブラック映像表示期間に区分し、前記第１視点映像表示期間は複数の第１サブフレームを含み、前記第２視点映像表示期間は複数の第２サブフレームを含み、前記ブラック映像表示期間は複数のブラックサブフレームを含む表示装置の駆動方法であって、
前記第１視点映像表示期間、第２視点映像表示期間、およびブラック映像表示期間それぞれに対応する第１視点映像データ信号、第２視点映像データ信号、およびブラック映像データ信号を生成して供給する段階；
前記複数の画素それぞれを前記第１視点映像データ信号によって前記複数の第１サブフレーム期間にそれぞれ発光させる段階；
前記複数の画素それぞれを前記ブラック映像データ信号によって前記複数のブラックサブフレーム期間にそれぞれ発光させない段階；
前記複数の画素それぞれを前記第２視点映像データ信号によって前記複数の第２サブフレーム期間にそれぞれ発光させる段階；および
前記複数の画素それぞれを前記ブラック映像データ信号によって前記複数のブラックサブフレーム期間にそれぞれ発光させない段階を含み、
前記ブラック映像表示期間は、前記第１視点映像表示期間および前記第２視点映像表示期間よりも短い期間であり、
前記ブラック映像表示期間は少なくとも複数の左目フレームまたは複数の右目フレームのうちで最も長く発光するサブフレームに該当する期間を含むように設定され、前記最も長く発光するサブフレームは少なくとも二つのサブフレームに分割されている
ことを特徴とする表示装置の駆動方法。
【請求項１４】
前記第１視点映像データ信号と前記第２視点映像データ信号はそれぞれ、左目映像データ信号と右目映像データ信号である
ことを特徴とする請求項１３に記載の表示装置の駆動方法。
【請求項１５】
前記ブラック映像表示期間に対応するブラック映像データ信号は、前記複数の画素を発光させない
ことを特徴とする請求項１３に記載の表示装置の駆動方法。
【請求項１６】
前記第１視点映像データ信号、第２視点映像データ信号、およびブラック映像データ信号を生成して供給する段階は、
前記表示装置のタイミング制御部が前記第１視点映像データ信号、第２視点映像データ信号、およびブラック映像データ信号を生成して前記表示装置のデータ供給部に供給する段階；および
前記データ供給部が前記第１視点映像データ信号の伝達を受けて複数の第１視点データ信号を生成し、前記第２視点映像データ信号の伝達を受けて複数の第２視点データ信号を生成し、前記ブラック映像データ信号の伝達を受けて複数のブラックデータ信号を生成する段階；を含む
ことを特徴とする請求項１３に記載の表示装置の駆動方法。
【請求項１７】
前記複数の第１視点データ信号は、
前記表示装置の走査駆動部が複数の第１サブフレームそれぞれに対応する走査信号を対応する走査線に伝達する時点に前記データ駆動部に連結した複数のデータ線に供給される
ことを特徴とする請求項１６に記載の表示装置の駆動方法。
【請求項１８】
前記複数の第２視点データ信号は、
前記表示装置の走査駆動部が複数の第２サブフレームそれぞれに対応する走査信号を対応する走査線に伝達する時点に前記データ駆動部に連結した複数のデータ線に供給される
ことを特徴とする請求項１６に記載の表示装置の駆動方法。
【請求項１９】
前記複数のブラックデータ信号は、
前記表示装置の走査駆動部が複数のブラックサブフレームそれぞれに対応する走査信号を対応する走査線に伝達する時点に前記データ駆動部に連結した複数のデータ線に供給される
ことを特徴とする請求項１６に記載の表示装置の駆動方法。
【請求項２０】
前記第１視点映像データ信号は前記複数の第１サブフレーム期間に供給され、前記第２視点映像データ信号は前記複数の第２サブフレーム期間に供給され、前記ブラック映像データ信号は前記複数のブラックサブフレーム期間に供給され、
前記複数の第１サブフレームそれぞれに対応する複数の走査信号が伝達される順序は、前記複数の第２サブフレームそれぞれに対応する複数の走査信号が伝達される順序と同じである
ことを特徴とする請求項１３に記載の表示装置の駆動方法。
【請求項２１】
前記複数の第１サブフレームおよび前記複数の第２サブフレームそれぞれは、前記表示装置のデータ駆動部が複数のデータ線のうちで対応するデータ線に画素を発光させないブラックデータ信号を供給する少なくとも１つのブランク（Ｂｌａｎｋ）サブフレームを含む
ことを特徴とする請求項２０に記載の表示装置の駆動方法。
【請求項２２】
前記複数のブラックサブフレームそれぞれに対応する複数の走査信号が伝達される順序は、前記複数の第１サブフレームまたは前記複数の第２サブフレームそれぞれに対応する複数の走査信号が伝達される順序と同じである
ことを特徴とする請求項２０に記載の表示装置の駆動方法。
【請求項２３】
前記複数のブラックサブフレームそれぞれに対応する複数の走査信号が伝達される順序は、前記複数の第１サブフレーム期間または前記複数の第２サブフレーム期間のうちで最初の時点から前記複数のブラックサブフレーム期間に対応する時点まで含まれる複数のサブフレームそれぞれに対応する複数の走査信号が伝達される順序と同じである
ことを特徴とする請求項２０に記載の表示装置の駆動方法。
【請求項２４】
前記複数のブラックサブフレーム期間は、前記複数の第１サブフレーム期間および前記複数の第２サブフレーム期間のうちで最も長いサブフレーム期間よりも長いことを特徴とする
ことを特徴とする請求項２０に記載の表示装置の駆動方法。
【発明の詳細な説明】
【技術分野】
【０００１】
本発明は表示装置とその駆動方法に関し、より詳細には、立体映像を実現する表示装置において立体映像信号が駆動する駆動方法に関する。
【背景技術】
【０００２】
最近、陰極線管（Ｃａｔｈｏｄｅ  Ｒａｙ  Ｔｕｂｅ）の短所である重量と体積を減らすことができる各種平板表示装置が開発されている。平板装置としては、液晶表示装置（Ｌｉｑｕｉｄ  Ｃｒｙｓｔａｌ  Ｄｉｓｐｌａｙ：ＬＣＤ）、電界放出表示装置（Ｆｉｅｌｄ  Ｅｍｉｓｓｉｏｎ  Ｄｉｓｐｌａｙ：ＦＥＤ）、プラズマ表示パネル（Ｐｌａｓｍａ  Ｄｉｓｐｌａｙ  Ｐａｎｅｌ：ＰＤＰ）、および有機発光表示装置（Ｏｒｇａｎｉｃ  Ｌｉｇｈｔ  Ｅｍｉｔｔｉｎｇ  Ｄｉｏｄｅ  Ｄｉｓｐｌａｙ）などがある。
【０００３】
平板表示装置のうちで有機発光表示装置は、電子と正孔の再結合によって光を発生する有機発光ダイオード（Ｏｒｇａｎｉｃ  Ｌｉｇｈｔ  Ｅｍｉｔｔｉｎｇ  Ｄｉｏｄｅ：ＯＬＥＤ）を利用して映像を表示するものであって、速い応答速度を有すると同時に低い消費電力で駆動され、発光効率、輝度、および視野角が優れているという長所があって注目されている。
【０００４】
通常、有機発光表示装置で発光する複数の画素は有機発光ダイオードを含み、前記有機発光ダイオードが画素回路から供給されるデータ電流に対応して所定の輝度の光を生成する。
【０００５】
有機発光表示装置の階調表現方式のうちの１つであるデジタル駆動は、画素の有機発光ダイオードが点灯している時間を調節する。デジタル駆動方式による有機発光表示装置の場合、１フレームを複数のサブフレームに区分し、各サブフレームの発光期間は階調表示のために適切に設定される。１フレームを構成する複数のサブフレームのうち、階調表現のための映像信号によって選択されたサブフレームの間に画素が発光する。
【０００６】
一方、立体映像を表示するためには、少なくとも２つの異なる視点に対応する少なくとも２つの映像が１フレーム表示期間内に表示されなければならない。一般的に、立体映像表示装置は人間の両目、すなわち、左目および右目に対応する左目映像と右目映像を１フレーム期間内に表示する。
【０００７】
すなわち、１フレームの期間を左目映像表示期間および右目映像表示期間に区分し、左目映像表示期間内に複数のサブフレームが含まれ、右目映像表示期間内に複数のサブフレームが含まれる。
【０００８】
さらに、左目映像と右目映像の混在（ｃｒｏｓｓｔａｌｋ）を防止するために、左目映像表示期間および右目映像表示期間それぞれが完了すれば、有機発光表示装置全体をブラック映像で表示するブラック映像表示期間が１フレーム期間内に位置することもある。
【０００９】
この場合、有機発光表示装置の駆動周波数は極めて高い。
【００１０】
特に、有機発光表示装置が大型である場合、表示装置の表示パネルにおいて映像表示動作が不正確になり、高い駆動周波数によって表示装置のドライバに発生する駆動消費電力が増加する。
【００１１】
結局、有機発光表示装置の価格上昇を招来するようになるため、これに対する改善と研究が必要である。
【発明の概要】
【発明が解決しようとする課題】
【００１２】
本発明は、このような問題点を解決するために案出されたものであって、駆動周波数を低めながら立体映像を駆動することによって大面積の表示パネルにおいて正確に駆動し、駆動消費電力を節減させて経済的なモジュール生産費用で生産される表示装置を提供することを目的とする。
【００１３】
また、本発明は、表示装置に立体映像を駆動させるとき、駆動周波数を低めて駆動タイミングに余裕を有し、表示パネルのＲＣ−ｄｅｌａｙ問題、ＴＦＴ内装回路の誤動作問題、ドライバＩＣおよび制御部の駆動タイミング問題を緩和させる表示装置の駆動方法を提供することを他の目的とする。
【００１４】
本発明が達成しようとする技術的課題は、上述した技術的課題に制限されるものではなく、言及されていないさらに他の技術的課題は、本発明の記載から当該分野において通常の知識を有する者によって明確に理解されるはずである。
【課題を解決するための手段】
【００１５】
上述した目的を達成するために、本発明の一実施形態に係る表示装置は、複数の走査線に複数の走査信号を伝達する走査駆動部と、複数のデータ線に複数のデータ信号を伝達するデータ駆動部と、前記複数の走査線のうちで対応する走査線および前記複数のデータ線のうちで対応するデータ線にそれぞれ連結した画素を複数含み、前記複数の画素それぞれは対応する走査信号が伝達されるときに対応するデータ信号の伝達を受ける表示部と、前記走査駆動部および前記データ駆動部を制御し、１フレームの時間を第１視点映像表示期間、第２視点映像表示期間、およびブラック映像表示期間に区分し、前記第１視点映像表示期間、第２視点映像表示期間、およびブラック映像表示期間それぞれに対応する映像データ信号を生成して前記データ駆動部に供給するタイミング制御部とを含む。このとき、前記ブラック映像表示期間は前記第１視点映像表示期間および前記第２視点映像表示期間よりも短い期間であり、前記ブラック映像表示期間に対応する映像データ信号は前記複数の画素を発光させないブラック映像データ信号である。
【００１６】
前記第１視点映像表示期間に対応する映像データ信号と前記第２視点映像表示期間に対応する映像データ信号はそれぞれ左目映像データ信号と右目映像データ信号であってもよいが、必ずしもこれに制限されるものではなく、その逆も可能である。
【００１７】
本発明の一実施形態において、前記データ駆動部は、前記第１視点映像表示期間に対応する第１視点映像データ信号の伝達を受けて複数の第１視点データ信号を生成する。前記データ駆動部は、前記第２視点映像表示期間に対応する第２視点映像データ信号の伝達を受けて複数の第２視点データ信号を生成する。また前記データ駆動部は、前記ブラック映像表示期間に対応するブラック映像データ信号の伝達を受けて複数のブラックデータ信号を生成する。
【００１８】
前記第１視点映像表示期間は複数の第１サブフレームを含み、前記走査駆動部は前記複数の第１サブフレームそれぞれに対応する走査信号を対応する走査線に伝達し、前記データ駆動部は前記対応する走査信号が前記対応する走査線に伝達される時点に前記複数の第１視点データ信号を前記複数のデータ線に供給する。
【００１９】
前記第２視点映像表示期間は複数の第２サブフレームを含み、前記走査駆動部は前記複数の第２サブフレームそれぞれに対応する走査信号を対応する走査線に伝達し、前記データ駆動部は前記対応する走査信号が前記対応する走査線に伝達される時点に前記複数の第２視点データ信号を前記複数のデータ線に供給する。
【００２０】
また、前記ブラック映像表示期間は複数のブラックサブフレームを含み、前記走査駆動部は前記複数のブラックサブフレームそれぞれに対応する走査信号を対応する走査線に伝達し、前記データ駆動部は前記対応する走査信号が前記対応する走査線に伝達される時点に前記複数のブラックデータ信号を前記複数のデータ線に供給する。
【００２１】
本発明の一実施形態において、前記１フレームの時間は複数のサブフレームに分割され、前記第１視点映像表示期間に対応する第１視点映像データ信号は、前記複数のサブフレームのうちの少なくとも２つの第１サブフレーム期間に供給される。また、前記第２視点映像表示期間に対応する第２視点映像データ信号は、前記複数のサブフレームのうちの少なくとも２つの第２サブフレーム期間に供給される。このとき、前記少なくとも２つの第１サブフレームそれぞれに対応する少なくとも２つの走査信号が伝達される順序は、前記少なくとも２つの第２サブフレームそれぞれに対応する少なくとも２つの走査信号が伝達される順序と同じであってもよい。
【００２２】
前記少なくとも２つの第１サブフレームおよび前記少なくとも２つの第２サブフレームそれぞれは、データ駆動部が複数のデータ線のうちで対応するデータ線に画素を発光させないブラックデータ信号を供給する少なくとも１つのブランク（Ｂｌａｎｋ）サブフレームを含んでもよい。
【００２３】
前記複数のサブフレームのうちの少なくとも２つのブラックサブフレーム期間にブラック映像表示期間に対応するブラック映像データ信号が供給される。このとき、前記ブラックサブフレームそれぞれに対応する少なくとも２つの走査信号が伝達される順序は、前記少なくとも２つの第１サブフレームまたは前記少なくとも２つの第２サブフレームそれぞれに対応する少なくとも２つの走査信号が伝達される順序と同じであってもよい。
【００２４】
本発明の一実施形態において、前記ブラック映像表示期間は、前記少なくとも２つの第１サブフレーム期間または前記少なくとも２つの第２サブフレーム期間のうちで最も長いサブフレーム期間よりも長くてもよい。
【００２５】
一方、前記少なくとも２つのブラックサブフレームそれぞれに対応する少なくとも２つの走査信号が伝達される順序は、前記少なくとも２つの第１サブフレーム期間または前記少なくとも２つの第２サブフレーム期間のうちで最初の時点から前記少なくとも２つのブラックサブフレーム期間に対応する時点まで含まれる複数のサブフレームそれぞれに対応する少なくとも２つの走査信号が伝達される順序と同じであってもよい。
【００２６】
前記１フレーム期間は第１視点映像表示期間、第２視点映像表示期間、およびブラック映像表示期間にそれぞれ区分され、前記ブラック映像表示期間は前記第１視点映像表示期間および前記第２視点映像表示期間がそれぞれ終了する時点にそれぞれ開始する。
【００２７】
前記目的を達成するために、本発明の一実施形態に係る表示装置の駆動方法は、複数の画素を含み、１フレーム時間を第１視点映像表示期間、第２視点映像表示期間、およびブラック映像表示期間に区分し、前記第１視点映像表示期間は複数の第１サブフレームを含み、前記第２視点映像表示期間は複数の第２サブフレームを含み、前記ブラック映像表示期間は複数のブラックサブフレームを含む表示装置の駆動方法である。
【００２８】
前記駆動方法は前記第１視点映像表示期間、第２視点映像表示期間、およびブラック映像表示期間それぞれに対応する第１視点映像データ信号、第２視点映像データ信号、およびブラック映像データ信号を生成して供給する段階と、前記複数の画素それぞれを前記第１視点映像データ信号によって前記複数の第１サブフレーム期間にそれぞれ発光させる段階と、前記複数の画素それぞれを前記ブラック映像データ信号によって前記複数のブラックサブフレーム期間にそれぞれ発光させない段階と、前記複数の画素それぞれを前記第２視点映像データ信号によって前記複数の第２サブフレーム期間にそれぞれの発光させる段階と、前記複数の画素それぞれを前記ブラック映像データ信号によって前記複数のブラックサブフレーム期間にそれぞれ発光させない段階とを含む。このとき、前記ブラック映像表示期間は、前記第１視点映像表示期間および前記第２視点映像表示期間よりも短い期間である。
【００２９】
前記第１視点映像データ信号と前記第２視点映像データ信号はそれぞれ左目映像データ信号と右目映像データ信号であってもよいが、その反対である場合ももちろん可能である。
【００３０】
本発明の一実施形態において、前記ブラック映像表示期間に対応するブラック映像データ信号は、前記複数の画素を発光させない信号である。
【００３１】
本発明の一実施形態に係る表示装置の駆動方法において、前記第１視点映像データ信号、第２視点映像データ信号、およびブラック映像データ信号を生成して供給する段階は、前記表示装置のタイミング制御部が前記第１視点映像データ信号、第２視点映像データ信号、およびブラック映像データ信号を生成して前記表示装置のデータ供給部に供給する段階と、前記データ供給部が前記第１視点映像データ信号の伝達を受けて複数の第１視点データ信号を生成し、前記第２視点映像データ信号の伝達を受けて複数の第２視点データ信号を生成し、前記ブラック映像データ信号の伝達を受けて複数のブラックデータ信号を生成する段階とを含む。
【００３２】
このとき、前記複数の第１視点データ信号は、前記表示装置の走査駆動部が複数の第１サブフレームそれぞれに対応する走査信号を対応する走査線に伝達する時点に前記データ駆動部に連結した複数のデータ線に供給される。
【００３３】
前記複数の第２視点データ信号は、前記表示装置の走査駆動部が複数の第２サブフレームそれぞれに対応する走査信号を対応する走査線に伝達する時点に前記データ駆動部に連結した複数のデータ線に供給される。
【００３４】
また、前記複数のブラックデータ信号は、前記表示装置の走査駆動部が複数のブラックサブフレームそれぞれに対応する走査信号を対応する走査線に伝達する時点に前記データ駆動部に連結した複数のデータ線に供給される。
【００３５】
本発明の一実施形態に係る駆動方法において、前記第１視点映像データ信号は前記複数の第１サブフレーム期間に供給され、前記第２視点映像データ信号は前記複数の第２サブフレーム期間に供給され、前記ブラック映像データ信号は前記複数のブラックサブフレーム期間に供給される。このとき、前記複数の第１サブフレームそれぞれに対応する複数の走査信号が伝達される順序は、前記複数の第２サブフレームそれぞれに対応する複数の走査信号が伝達される順序と同じであってもよい。
【００３６】
前記複数の第１サブフレームおよび前記複数の第２サブフレームそれぞれは、前記表示装置のデータ駆動部が複数のデータ線のうちで対応するデータ線に画素を発光させないブラックデータ信号を供給する少なくとも１つのブランク（Ｂｌａｎｋ）サブフレームを含んでもよい。
【００３７】
一方、前記複数のブラックサブフレームそれぞれに対応する複数の走査信号が伝達される順序は、前記複数の第１サブフレームまたは前記複数の第２サブフレームそれぞれに対応する複数の走査信号が伝達される順序と同じであってもよい。
【００３８】
また、前記複数のブラックサブフレームそれぞれに対応する複数の走査信号が伝達される順序は、前記複数の第１サブフレーム期間または前記複数の第２サブフレーム期間のうちで最初の時点から前記複数のブラックサブフレーム期間に対応する時点まで含まれる複数のサブフレームそれぞれに対応する複数の走査信号が伝達される順序と同じであってもよい。
【００３９】
本発明の一実施形態に係る表示装置の駆動方法において、前記複数のブラックサブフレーム期間は、前記複数の第１サブフレーム期間および前記複数の第２サブフレーム期間のうちで最も長いサブフレーム期間よりも長いことを特徴とする。
【発明の効果】
【００４０】
本発明によれば、立体映像を駆動させる表示装置において、駆動周波数を大幅に低めて低速動作を可能とし、モジュール回路の消費電力を低めてモジュール生産費用を節減させる効果がある。
【００４１】
また、本発明によれば、低駆動周波数で立体映像を駆動する方法を提供するために駆動タイミングに余裕を有し、表示パネルのＲＣ−ｄｅｌａｙ問題、ＴＦＴ内装回路の誤動作問題、ドライバＩＣおよび制御部の駆動タイミング問題を解決することができる。
【図面の簡単な説明】
【００４２】
【図１】本発明の一実施形態に係る表示装置のブロック図である。
【図２】図１の表示装置の画素回路の構成を示す回路図である。
【図３】既存の立体映像の駆動方法を示す駆動波形図である。
【図４】本発明の一実施形態に係る立体映像の駆動方法を示す駆動波形図である。
【図５】本発明の一実施形態に係る１フレーム期間を分割する複数のサブフレームの構成図である。
【図６】本発明の一実施形態に係る立体映像の駆動方法を示す駆動波形図である。
【図７】図６の駆動波形図のうちの一部を抜粋および拡大した図、およびこれによる走査信号の駆動タイミング図である。
【発明を実施するための形態】
【００４３】
以下、添付の図面を参照しながら、本発明の実施形態について本発明が属する技術分野において通常の知識を有する者が容易に実施できるように詳しく説明する。しかしながら、本発明は多様に相違した形態で実現されることができ、ここで説明する実施形態に限定されることはない。
【００４４】
また、多様な実施形態において、同一の構成を有する構成要素については同一の符号を用いて代表的に第１実施形態で説明し、その他の実施形態では第１実施形態とは異なった構成についてのみ説明する。
【００４５】
本発明を明確に説明するために、説明上において不必要な部分は省略し、明細書全体に渡って同一または類似した構成要素については同一の参照符号を付与する。
【００４６】
明細書全体において、ある部分が他の部分と「連結」しているとするとき、これは「直接的に連結」している場合だけではなく、その中間に他の素子を間において「電気的に連結」している場合も含む。また、ある部分がある構成要素を「含む」とするとき、これは特に反対となる記載がない限り、他の構成要素を除くのではなく他の構成要素をさらに含むことを意味する。
【００４７】
図１は、本発明の一実施形態に係る表示装置のブロック図である。
【００４８】
図１を参照すれば、本発明の一実施形態に係る表示装置は、走査線（Ｓ１〜Ｓｎ）およびデータ線（ＤＡ１〜ＤＡｍ）にそれぞれ連結した複数の画素（ＰＸ）を含む表示部１０と、走査線（Ｓ１〜Ｓｎ）に走査信号を供給して走査線を駆動する走査駆動部２０と、データ線（ＤＡ１〜ＤＡｍ）にデータ信号を供給してデータ線を駆動するデータ駆動部３０と、走査駆動部２０およびデータ駆動部３０を制御するためのタイミング制御部５０とを備える。
【００４９】
タイミング制御部５０は、外部から供給される同期信号に対応してデータ駆動制御信号（ＤＣＳ）および走査駆動制御信号（ＳＣＳ）を生成する。タイミング制御部５０で生成されたデータ駆動制御信号（ＤＣＳ）はデータ駆動部３０に供給され、走査駆動制御信号（ＳＣＳ）は走査駆動部２０に供給される。
【００５０】
そして、タイミング制御部５０は、外部から供給される映像信号（ＩＳ）を映像データ信号（ＤＡＴＡ）に変換してデータ駆動部３０に供給する。
【００５１】
映像データ信号（ＤＡＴＡ）は、第１視点映像データ信号および第２視点映像データ信号を含む。
【００５２】
具体的に、第１視点は人間の左目視点、第２視点は人間の右目視点であってもよいが、その反対であってもよい。したがって、第１視点映像データ信号は左目映像データ信号であってもよく、第２視点映像データ信号は右目映像データ信号であってもよいが、その逆も可能であることはもちろんである。
【００５３】
以下、便宜上、第１視点を左目、第２視点を右目と仮定して説明する。
【００５４】
本発明の実施形態に係る有機発光表示装置は、立体映像を表示するために両目の２視点それぞれに対応する左目映像および右目映像を順に表現する。左目映像および右目映像それぞれが両目それぞれに伝達されるためには、別途の眼鏡が必要となる。
【００５５】
すなわち、ユーザは、左目映像が表示される期間に左目にのみ映像が投影されるようにし、右目映像が表示される期間に右目にのみ映像が投影されるようにする眼鏡を着用しなければならない。
【００５６】
データ駆動部３０は、１フレームに含まれている複数のサブフレーム期間ごとに複数のデータ線（ＤＡ１〜ＤＡｍ）に複数のデータ信号を供給する。具体的に、データ駆動部３０は、タイミング制御部から伝達される複数の左目映像データ信号および複数の右目映像データ信号によって複数の左目データ信号および複数の右目データ信号を生成し、データ駆動制御信号によって複数のデータ線に伝達する。
【００５７】
また、タイミング制御部５０は、左目映像表示期間および右目映像表示期間が終了する時点から所定の期間であるブラック映像表示期間に対応する映像データ信号をブラック映像データ信号として生成する。ブラック映像データ信号は画素が発光しないように、すなわち、有機発光ダイオードに電流を供給しない映像データ信号である。
【００５８】
データ駆動部３０は、ブラック映像データ信号に対応する複数のブラックデータ信号を生成し、データ駆動制御信号によって複数のデータ線に伝達する。
【００５９】
具体的に、データ駆動部３０は、それぞれのサブフレームに対応するゲートオン電圧を有する走査信号が供給される時点に同期され、複数の画素４０それぞれの発光の可否を制御する複数のデータ信号を複数のデータ線を介して伝達する。ゲートオン電圧とは、有機発光ダイオードに駆動電流を伝達する駆動トランジスタのゲート電極にデータ信号が伝達されるようにスイッチングトランジスタをターンオンさせるレベルを意味する。これについては、図２の画素構造を参照しながら詳しく後述する。
【００６０】
このとき、左目映像表示期間では複数のデータ線を介して複数の左目データ信号が伝達され、右目映像表示期間では複数の右目データ信号が伝達され、ブラック映像表示期間には複数のブラックデータ信号が伝達される。
【００６１】
走査駆動部２０は、それぞれのサブフレームの開始時点に同期されてゲートオン電圧を有する走査信号を複数の走査線（Ｓ１〜Ｓｎ）のうちで対応する走査線に供給する。複数の走査線（Ｓ１〜Ｓｎ）のうちでゲートオン電圧を有する走査信号が供給された走査線に連結した複数の画素４０が選択される。走査信号によって選択された複数の画素４０は、複数のデータ線（ＤＡ１〜ＤＡｍ）から左目データ信号、右目データ信号、およびブラックデータ信号のうちで該当するサブフレームによっていずれか１つの供給を受ける。このとき、該当するサブフレームとは、ゲートオン電圧を有する走査信号に対応するサブフレームを意味する。
【００６２】
第１電源（ＥＬＶＤＤ）および第２電源（ＥＬＶＳＳ）は、複数の画素４０が動作するのに必要な２つの駆動電圧を供給する。２つの駆動電圧は、第１電源（ＥＬＶＤＤ）に供給されるハイレベルの第１駆動電圧と、第２電源（ＥＬＶＳＳ）から供給されるローレベルの第２駆動電圧とを含む。
【００６３】
次に、図２に示す回路図を参照しながら、図１の表示装置の画素回路の構成について説明する。
【００６４】
図２は、図１の表示装置のうちの複数の画素のうちで対応する画素４０の画素回路４５を示す図である。
【００６５】
図２を参照すれば、画素回路４５は、スイッチングトランジスタ（Ｍ１）と、駆動トランジスタ（Ｍ２）と、ストレージキャパシタ（Ｃｓｔ）と、有機発光ダイオード（ＯＬＥＤ）とから構成される。図２は画素の駆動回路の１つの実施形態であるため、必ずしもこのような構成に制限されるものではなく、当該分野において公知された画素回路の構造であれば多様に適用が可能であろう。
【００６６】
図２の実施形態に係る画素回路４５は、具体的に、複数の走査線のうちで対応する走査線に連結したゲート電極と、複数のデータ線のうちで対応するデータ線に連結したソース電極と、ストレージキャパシタ（Ｃｓｔ）の一端と駆動トランジスタ（Ｍ２）のゲート電極が連結した接続点に連結したドレイン電極を含むスイッチングトランジスタ（Ｍ１）とを含む。
【００６７】
また、画素回路４５は、スイッチングトランジスタ（Ｍ１）のドレイン電極に連結したゲート電極と、第１電源（ＥＬＶＤＤ）に連結したソース電極と、有機発光ダイオード（ＯＬＥＤ）のアノード電極に連結したドレイン電極とを含む駆動トランジスタ（Ｍ２）を含む。
【００６８】
ストレージキャパシタは、一端がスイッチングトランジスタ（Ｍ１）のドレイン電極と駆動トランジスタ（Ｍ２）のゲート電極が連結した接続点に連結し、他端が駆動トランジスタ（Ｍ２）のソース電極に連結し、駆動トランジスタ（Ｍ２）のゲート電極およびソース電極の間の電圧差をサブフレーム期間に維持する。
【００６９】
有機発光ダイオード（ＯＬＥＤ）のアノード電極は駆動トランジスタ（Ｍ２）のドレイン電極に連結し、カソード電極は第２電源（ＥＬＶＳＳ）に連結している。
【００７０】
スイッチングトランジスタ（Ｍ１）が対応する走査線を介して伝達された走査信号によってターンオンしたとき、ターンオンしたスイッチングトランジスタ（Ｍ１）を介して伝達されるデータ信号は駆動トランジスタ（Ｍ２）のゲート電極に伝達される。したがって、駆動トランジスタ（Ｍ２）のゲート電極およびソース電極の電圧差はデータ信号と第１電源の第１駆動の電圧差であり、この電圧差によって駆動トランジスタ（Ｍ２）に駆動電流が流れる。
【００７１】
駆動電流は有機発光ダイオード（ＯＬＥＤ）に伝達され、有機発光ダイオード（ＯＬＥＤ）は伝達された駆動電流によって発光する。
【００７２】
ゲートオン電圧レベルを有する複数の走査信号が複数の走査線（Ｓ１〜Ｓｎ）のうちで対応する走査線に供給されれば、対応する走査線に連結した複数のスイッチングトランジスタ（Ｍ１）がターンオンする。複数のデータ線（ＤＡ１〜ＤＡｍ）それぞれはゲートオン電圧を有する走査信号が供給される時点に同期され、左目データ信号、右目データ信号、およびブラックデータ信号のうちのいずれか１つの伝達を受ける。
【００７３】
ターンオンした複数のスイッチングトランジスタ（Ｍ１）それぞれを介して複数のデータ線（ＤＡ１〜ＤＡｍ）に伝達された左目データ信号、右目データ信号、およびブラックデータ信号のうちのいずれか１つのデータ信号は、複数の画素４０それぞれの駆動トランジスタ（Ｍ２）に伝達され、前記伝達されたデータ信号によって該当するサブフレーム期間に複数の画素４０それぞれの有機発光ダイオード（ＯＬＥＤ）が発光または非発光する。
【００７４】
図３は、従来の立体映像の駆動方法を示す駆動波形図である。
【００７５】
具体的に、３次元立体映像を表示するために左目映像および右目映像が交互に表示され、左目映像表示期間（ＬＩ）および右目映像表示期間（ＲＩ）後にブラック映像表示期間（Ｂ１、Ｂ２）がそれぞれ存在する１フレーム（１Ｆ）を示す図である。このとき、左目映像表示期間（ＬＩ）、右目映像表示期間（ＲＩ）、およびブラック映像表示期間（Ｂ１、Ｂ２）はそれぞれ同じであり、各期間が含むサブフレームの個数、複数のサブフレームの配列は同じである。
【００７６】
図３に示すように、左目映像表示期間（ＬＩ）およびブラック映像表示期間（Ｂ１）は、ユーザが着用している眼鏡の左目シャッターがオンされて左目にのみ映像が投射される。そして、右目映像表示期間（ＲＩ）およびブラック映像表示期間（Ｂ２）は、眼鏡の右目シャッターがオンされて右目にのみ映像が投射される。
【００７７】
左側シャッターがオン状態である期間中、左目映像表示期間（ＬＩ）は複数のサブフレーム（ＳＦ１〜ＳＦ５）の配列を有し、前記各サブフレームの開始時点に同期されてゲートオン電圧を有する複数の走査信号が順に複数の走査線に伝達される。このとき、複数の走査信号が伝達されるとき、複数のデータ線を介して複数の左目データ信号が複数の画素にそれぞれ伝達される。これにより、複数の画素それぞれの有機発光ダイオード（ＯＬＥＤ）は、左目データ信号によって該当するサブフレーム内に発光して左目映像を表示する。
【００７８】
右側シャッターがオン状態である期間中、右目映像表示期間（ＲＩ）は複数のサブフレーム（ＳＦ１’〜ＳＦ５’）の配列を有する。同じように、前記各サブフレームの開始時点に同期されてゲートオン電圧を有する複数の走査信号が順に複数の走査線に伝達され、このとき、複数のデータ線を介して伝達される複数の右目データ信号が複数の画素にそれぞれ伝達される。これにより、複数の画素それぞれの有機発光ダイオード（ＯＬＥＤ）は、右目データ信号によって該当するサブフレーム内に発光して右目映像を表示する。
【００７９】
また、図３において、ブラック映像表示期間（Ｂ１、Ｂ２）は、左右映像の混在を防止するための期間である。
【００８０】
左目映像表示期間（ＬＩ）後にくるブラック映像表示期間（Ｂ１）は、左目映像表示期間（ＬＩ）のサブフレームと同一のサブフレーム（ＳＦ１〜ＳＦ５）の配列を有する。各サブフレームの開始時点に同期されてゲートオン電圧を有する複数の走査信号が順に複数の走査線に伝達されるが、このとき、複数のデータ線を介して複数のブラックデータ信号が該当するサブフレーム内に複数の画素それぞれに伝達されるため、複数の画素それぞれの有機発光ダイオード（ＯＬＥＤ）は発光しない。
【００８１】
一方、右目映像表示期間（ＲＩ）後にくるブラック映像表示期間（Ｂ２）は、右目映像表示期間（ＲＩ）のサブフレームと同一のサブフレーム（ＳＦ１’〜ＳＦ５’）の配列を有する。各サブフレームの開始時点に同期されてゲートオン電圧を有する複数の走査信号が順に複数の走査線に伝達されるが、このとき、複数のデータ線を介して複数のブラックデータ信号が該当するサブフレーム内に複数の画素それぞれに伝達されるため、複数の画素それぞれの有機発光ダイオード（ＯＬＥＤ）は発光しない。
【００８２】
左目データ信号が供給されて該当するサブフレーム期間に発光する左目映像表示期間（ＬＩ）だけブラックデータ信号が供給されて発光しないブラック映像表示期間（Ｂ１）が挿入され、同じように、右目データ信号が供給されて該当するサブフレーム期間に発光する右目映像表示期間（ＲＩ）だけブラックデータ信号が供給されて発光しないブラック映像表示期間（Ｂ２）が挿入される。
【００８３】
上述したように、１フレーム周期を１／６０ｓｅｃで設定する場合、左目映像表示期間（ＬＩ）、ブラック映像表示期間（Ｂ１）、右目映像表示期間（ＲＩ）、およびブラック映像表示期間（Ｂ２）にそれぞれ表示部全体に複数のデータ信号を伝達するために、１フレーム周期内に有機発光表示装置の駆動周波数は２４０Ｈｚで設定される。通常、このようなデジタル駆動は、２次元平面ディスプレイ駆動よりも４倍増加した周波数で駆動されるようになる。
【００８４】
このように駆動周波数が高周波数に上昇すれば、大型表示パネルにおけるデータ／走査ラインのＲＣ  ｄｅｌａｙによって正確な駆動が困難になり、駆動消費電力も増加する。また、高周波数での駆動時、画素回路における閾値電圧補償のための期間を確保することができない。データ駆動部および走査駆動部の集積回路も高速駆動に対応するように設計されなければならないため、全体的な表示装置のモジュール価格の上昇を招来するようになるという問題点がある。
【００８５】
このような既存の技術の問題点を解決するために、本発明の一実施形態に係る表示装置における立体映像の駆動方法を示す駆動波形図を図４に示した。
【００８６】
図４を参照すれば、立体映像の実現において、１フレーム周期は、左目映像表示期間（Ｔ１）と、ブラック映像表示期間（Ｔ２）と、右目映像表示期間（Ｔ３）と、ブラック映像表示期間（Ｔ４）とを含む。
【００８７】
複数の走査信号それぞれは、前記１フレームを構成する複数のサブフレームのうちで対応するサブフレームの開始時点に同期されて伝達される。
【００８８】
複数のサブフレームそれぞれに対応する走査信号が対応する走査線に伝達される時点に同期され、複数の左目データ信号、複数の右目データ信号、および複数のブラックデータ信号のうちで対応する１つが複数の画素に伝達される。伝達された複数のデータ信号によって複数の有機発光ダイオード（ＯＬＥＤ）が発光または非発光する。
【００８９】
具体的に、左目映像表示期間（Ｔ１）に含まれる複数のサブフレーム（以下、左目フレーム）それぞれに対応する複数の画素それぞれは、対応する複数の左目データ信号の供給を受ける。これにより、複数の画素４０それぞれの有機発光ダイオード（ＯＬＥＤ）は、伝達された左目データ信号に対応する電流によって発光する。このとき、表示部１０に左目映像が表示される。
【００９０】
右目映像表示期間（Ｔ３）に含まれる複数のサブフレーム（以下、右目フレーム）それぞれに対応する複数の画素それぞれは、対応する複数の右目データ信号の供給を受ける。これにより、複数の画素４０それぞれの有機発光ダイオード（ＯＬＥＤ）は、伝達された右目データ信号に対応する電流によって発光する。このとき、表示部１０に右目映像が表示される。
【００９１】
ブラック映像表示期間（Ｔ２、Ｔ４）に含まれる複数のサブフレーム（以下、ブラックフレーム）それぞれに対応する複数の画素それぞれは、対応する複数のブラックデータ信号の供給を受ける。このとき、ブラックデータ信号の伝達を受けた複数の画素４０それぞれの有機発光ダイオード（ＯＬＥＤ）は発光しないため、表示部１０にはブラック映像が表示される。
【００９２】
本発明の他の実施形態によって、左目映像表示期間（Ｔ１）と右目映像表示期間（Ｔ３）は、その順序が変わって繰り返されてもよいことはもちろんである。
【００９３】
図４を参照すれば、本発明の一実施形態に係る有機発光表示装置において、ブラック映像表示期間（Ｔ２およびＴ４）は、左目映像表示期間（Ｔ１）および右目映像表示期間（Ｔ３）よりも短く設定されている。
【００９４】
より好ましくは、ブラック映像表示期間（Ｔ２およびＴ４）が複数の左目フレームまたは複数の右目フレームのうちで最も長く発光するサブフレーム期間の長さよりも長いことによって左右映像を完全に分離することができる。もし、複数の左目フレームまたは複数の右目フレームのうちで最も長く発光するサブフレームを分割して駆動すれば、自動的にブラック映像表示期間（Ｔ２およびＴ４）が減り、駆動周波数を低めることができるようになる。
【００９５】
もし、上述したとおりに１フレーム周期を１／６０ｓｅｃで設定する場合、複数の左目フレームまたは複数の右目フレームのうちで最も長く発光するサブフレームがデジタル駆動周期の２５％であると仮定すれば、左右映像を分離した立体映像の駆動周期は、ブラックデータ信号が伝達されるブラック映像表示期間を含むときに既存の技術の駆動周期である１／２４０ｓｅｃよりも長い１／１５０ｓｅｃとなることがある。したがって、有機発光表示装置の駆動周波数が減少し、既存の方式よりも１フレーム期間が相対的に増加し、映像表示期間を十分に確保して立体映像を実現することができる。
【００９６】
以下、立体映像を表示するとき、表示期間の減少によって発生する低輝度問題および閾値電圧補償期間の確保問題を解決することができる。
【００９７】
図５は、本発明の一実施形態に係る１フレーム期間を分割する複数のサブフレームの構成図である。
【００９８】
図５による本発明の一実施形態に係る１フレーム期間は、複数のサブフレームで構成される。
【００９９】
一実施形態としてブランク（Ｂｌａｎｋ）サブフレーム（Ｂ）を含む８個のサブフレームで構成されたり、他の一実施形態としてブランク（Ｂｌａｎｋ）サブフレーム（Ｂ）を含む１０個のサブフレームで構成されてもよい。
【０１００】
ブランク（Ｂｌａｎｋ）サブフレーム（Ｂ）は、複数の左目フレームおよび複数の右目フレームそれぞれが対応する表示期間内に適切に配列されても発生する同期の不一致を解決するために設定された期間である。例えば、左目映像表示期間と複数の左目フレーム期間の差を左目映像表示期間に含まれるブランクサブフレームで設定する。例えば、左目フレームであるＤ７−１、Ｄ７−２、Ｄ６、Ｄ５、Ｄ４、Ｄ３、Ｄ２、Ｄ１、Ｌを合わせた期間が左目映像表示期間よりも小さければ、その期間の差をブランクサブフレームとして割り当てる。
【０１０１】
右目映像表示期間も同様である。
【０１０２】
図５に示すように、複数の左目および右目フレームが１０個のサブフレーム（Ｂ、Ｌ、Ｄ１、Ｄ２、Ｄ３、Ｄ４、Ｄ５、Ｄ６、Ｄ７−１、Ｄ７−２）または８個のサブフレーム（Ｂ、Ｌ、Ｄ３、Ｄ４、Ｄ５、Ｄ６、Ｄ７−１、Ｄ７−２）を含む。
【０１０３】
複数の左目および右目フレームが１０個のサブフレームである場合、最も長いサブフレームはＤ７期間であるが、本発明の一実施形態では最も長いサブフレーム期間をＤ７−第１期間とＤ７−第２期間に分割し、分割された２つのサブフレームの間に少なくとも１つの他のサブフレームが位置する。
【０１０４】
本発明の一実施形態に係るブラック映像表示期間は、ブラックデータ信号が供給されるブラックフレームで構成される。ブラックフレーム期間は左目フレームまたは右目フレームのうちで最も長いサブフレームよりも長く設定されるため、図５に示すように、最も長いサブフレームＤ７を分割したＤ７−１またはＤ７−２の期間だけブラックフレームが挿入されれば自動的にブラック映像表示期間が減るようになり、全体的に駆動周波数を低めることができる効果がある。
【０１０５】
図６は、本発明の一実施形態に係る立体映像の駆動方法を示す駆動波形図である。説明の便宜上、表示部は６個の走査線のみを含むように示した。図６において、上から下方向に６個の走査線ラインに含まれている複数のブロックは、各走査線に対応する複数のサブフレームを時間の順序にしたがって配列したものである。
【０１０６】
図６を参照すれば、本発明の一実施形態に係るデジタル駆動において周波数を低める駆動方法を示す駆動波形であって、１フレームの期間が１／６０ｓｅｃであり、４個の期間を含む。
【０１０７】
第１期間（Ｐ１）と第３期間（Ｐ３）それぞれは、左目データ信号が供給されて表示される左目映像表示期間と右目データ信号が供給されて表示される右目映像表示期間であり、第２期間（Ｐ２）と第４期間（Ｐ４）は、表示部が発光しないブラック映像表示期間である。
【０１０８】
本発明の一実施形態において、第１期間（Ｐ１）および第３期間（Ｐ３）を構成する複数のサブフレームそれぞれの開始時点に対応する走査信号が同期されて発生し、前記対応する走査信号によって表示部に含まれている複数の画素のうちで対応する画素がスキャンされる。このとき、第１期間（Ｐ１）に複数のサブフレームそれぞれに対応する複数の走査信号それぞれが発生する順序は、第３期間（Ｐ３）に複数のサブフレームそれぞれに対応する複数の走査信号それぞれの発生順序と同じである。
【０１０９】
同じように、第２期間（Ｐ２）と第４期間（Ｐ４）に含まれる複数のサブフレームも、それぞれの開始時点に対応する走査信号が同期されて発生する。前記対応する走査信号によって表示部に含まれている複数の画素のうちで対応する画素がスキャンされるが、これにしたがってブラックデータ信号が伝達されてブラック映像が表示される。このとき、第２期間（Ｐ２）に複数のサブフレームそれぞれに対応する複数の走査信号それぞれが発生する順序は、第４期間（Ｐ４）のそれと同じである。
【０１１０】
ブラック映像表示期間の第２期間（Ｐ２）と第４期間（Ｐ４）がそれぞれ終了する時点に、表示装置のタイミング制御部は、カウンタをリセットしてデジタル駆動の最初の時点に戻って次の期間を開始してもよい。
【０１１１】
図６において、左目映像表示期間の第１期間（Ｐ１）とブラック映像表示期間の第２期間（Ｐ２）、右目映像表示期間の第３期間（Ｐ３）とブラック映像表示期間の第４期間（Ｐ４）に動作するようになれば、デジタル駆動は再び最初の時点に戻って第１期間（Ｐ１）を繰り返す。
【０１１２】
図６の実施形態に係る表示装置において、複数の走査線それぞれに配列された複数のサブフレームは８個でなされてもよい。
【０１１３】
一例として、図６を参照すれば、左目映像表示期間である第１期間（Ｐ１）または右目映像表示期間の第３期間（Ｐ３）において、最初の走査ラインはブランク（Ｂ）、Ｄ７、Ｄ６、Ｄ７、Ｄ４、Ｄ３、Ｌ、Ｄ５サブフレーム順序で配列されている。
【０１１４】
図６では、比較的に短い期間のサブフレームであるＤ３を「３」で省略して表示した。
【０１１５】
図７では、図６に示す本発明の一実施形態に係る駆動方法を示す駆動波形図の一部を抜粋して走査信号タイミングについて説明する。
【０１１６】
すなわち、図６では６個の走査線に含まれているサブフレームを配列したが、図７はそのうちで左目映像表示期間である第１期間（Ｐ１）が開始する時点から所定の期間に該当するサブフレームブロック１００を抽出および拡大して示し、同時に前記所定の時間に各該当するサブフレームの時点に同期されて発生する走査信号の駆動タイミングを示した。
【０１１７】
図７を参照すれば、まず、ブランクサブフレーム（Ｂ）が開始する時点（Ｔ００）に同期され、６個の走査線のうちで最初の走査線に伝達される走査信号（Ｇ１）がゲートオン電圧レベルのパルスを発生する。
【０１１８】
図７におけるゲートオン電圧レベルがローレベルであることは、図２に示す本発明の一実施形態に係る表示装置の複数の画素それぞれがＰＭＯＳトランジスタで構成されるためである。
【０１１９】
走査信号（Ｇ１）が最初の走査線に伝達されれば、ゲートオン電圧レベルのパルスに対応して最初の走査線に含まれている複数の画素それぞれがスキャンされる。このとき、ブランクサブフレーム（Ｂ）に伝達されるデータ信号はブラックデータ信号であるため、ブランクサブフレーム（Ｂ）期間に前記スキャンされた複数の画素それぞれは発光しない。
【０１２０】
次に、所定の時間が経過してＴ１０時点に同期され、３番目の走査線に供給される走査信号（Ｇ３）がローレベルのパルスを発生する。
【０１２１】
走査信号（Ｇ３）が３番目の走査線に伝達されれば、ローレベルのパルスに対応して３番目の走査線に含まれている複数の画素それぞれがスキャンされる。３番目の走査線に含まれている複数の画素それぞれは、該当するサブフレーム（Ｄ３）の期間に左目データ信号の伝達を受け、これに伴う映像を表示するようになる。
【０１２２】
同じように、時間が経過することによってＴ１１、Ｔ１２、Ｔ１３、Ｔ１４、Ｔ１５時点にそれぞれ同期されて５番目の走査線に供給される走査信号（Ｇ５）、２番目の走査線に供給される走査信号（Ｇ２）、３番目の走査線に供給される走査信号（Ｇ３）、最初の走査線に供給される走査信号（Ｇ１）、および３番目の走査線に供給される走査信号（Ｇ３）がローレベルのパルスを順に発生する。
【０１２３】
したがって、前記該当する走査信号が伝達される該当する走査線に含まれている複数の画素それぞれは、該当するサブフレーム期間に左目データ信号の供給を受けて発光して左目映像を表示するようになる。
【０１２４】
右目映像表示期間に右目映像もこのような方式で表示される。
【０１２５】
以上、本発明の具体的な実施形態と関連して本発明を説明したが、これは例示に過ぎず、本発明がこれに制限されることはない。当業者は本発明の範囲を逸脱せずに説明された実施形態を変更または変形することができ、このような変更または変形も本発明の範囲に属する。また、明細書で説明した各構成要素の物質は、当業者が公知された多様な物質から容易に選択して代替することができる。さらに、当業者は、本明細書で説明された構成要素のうちの一部を性能の劣化なく省略したり性能を改善するために構成要素を追加することができる。これだけでなく、当業者は、工程環境や装備にしたがって本明細書で説明した方法段階の順序を変更することもできる。したがって、本発明の範囲は、説明された実施形態ではなく、特許請求の範囲およびその均等物によって決定されなければならない。
【符号の説明】
【０１２６】
１０：表示部
２０：走査駆動部
３０：データ駆動部
４０：画素
４５：画素回路
５０：タイミング制御部
【図１】
0005582644.tif 000002
【図２】
0005582644.tif 000003
【図７】
0005582644.tif 000004
【図３】
0005582644.tif 000005
【図４】
0005582644.tif 000006
【図５】
0005582644.tif 000007
【図６】
0005582644.tif 000008